(57)【要約】【課題】タンク、ポンプ、調圧弁の組付けが容易に行える液体散布用の噴霧器を提供する。【解決手段】本発明に係る噴霧器１０は、ポンプ２０と調圧弁２１は、ポンプ２０の吸入筒２６と調圧弁２１の戻し筒３６とが同じ側にくるようにして、ポンプ２０の吐出筒２７が調圧弁２１の流入口３０に液密に差し込まれ、かつポンプ２０と調圧弁２１とが離反不能の状態のユニット１６として組み付けられ、ユニット１６が、吸入筒２６と戻し筒３６とがそれぞれタンク１２の第１の継手部４４およびタンク１２の第２の継手部４５に液密に差し込まれてタンク１２内に連通した状態で、かつタンク１２に対して離反不能にタンク１２に組付けられていることを特徴とする。【選択図】図９
2020054263.tif 000002
【特許請求の範囲】
【請求項１】
タンクと、該タンクに接続されるポンプと、該ポンプの吐出側に接続され、液体を噴口に供給すると共に、内圧が所定圧以上となった場合に余水を前記タンクに戻す調圧弁を有する液体散布用の噴霧器において、
前記タンクは、内部にそれぞれシールリングを有する、筒状の第１の継手部および該第１の継手部と平行に伸びる第２の継手部とを一壁面に具備し、
前記ポンプは、吸入筒と吐出筒とを具備し、
前記調圧弁は、内部にシールリングを有する流入口と、噴口が取り付けられたホースが接続される流出口と、内部に弁構造を有し、内部圧力が所定圧力以上に上昇した際に余水を前記タンクに戻す戻し筒とを具備し、
前記ポンプと前記調圧弁は、前記ポンプの吸入筒と前記調圧弁の戻し筒とが同じ側にくるようにして、前記ポンプの前記吐出筒が前記調圧弁の流入口に液密に差し込まれ、かつ前記ポンプと前記調圧弁とが離反不能の状態のユニットとして組み付けられ、
該ユニットが、前記吸入筒と前記戻し筒とがそれぞれ前記タンクの前記第１の継手部および前記タンクの前記第２の継手部に液密に差し込まれて前記タンク内に連通した状態で、かつ前記タンクに対して離反不能に前記タンクに組付けられていることを特徴とする液体散布用の噴霧器。
【請求項２】
前記ユニットが、前記タンクの前記一壁面側に組み付けられた収納ボックス内に配置されると共に、前記ポンプと前記調圧弁とが離反不能にカバー内に組み付けられ、該カバーが前記収納ボックスに固定されていることを特徴とする請求項１記載の液体散布用の噴霧器。
【請求項３】
前記第１の継手部、前記第２の継手部および前記調圧弁の前記流入口は、
それぞれ、筒体の先端面の内周側に凹欠部が周設され、該凹欠部内に前記シールリングが配置されると共に、前記筒体の先端部外周に、前記シールリングの抜け止め用の孔空きキャップが装着されて構成されていることを特徴とする請求項１または２記載の液体散布用の噴霧器。
【請求項４】
前記第１の継手部および前記第２の継手部が継手部本体に設けられ、
該継手部本体が前記タンク内に位置し、前記第１の継手部および前記第２の継手部が前記タンクの前記一壁面に設けた透孔および前記収納ボックス壁面に設けた透孔を貫通して前記収納ボックス内に液密に突出すると共に、前記第１の継手部および前記第２の継手部がナットにより前記収納ボックスと共に前記タンクの前記一壁面に締め付け、固定されていることを特徴とする請求項１〜３いずれか１項記載の液体散布用の噴霧器。
【発明の詳細な説明】
【技術分野】
【０００１】
本発明は、タンクに、ポンプユニットおよび調圧弁を容易に組み付けることのできる液体散布用の噴霧器に関する。
【背景技術】
【０００２】
液体散布用の噴霧器が各種知られている。
特許文献１（特開２０１４−１１７２２１号公報）には、背負式の噴霧器が開示されている。この背負式噴霧器は、薬液が貯留されるタンク２と、タンク２に接続され薬液を吸入、吐出するポンプ３と、ポンプ３に接続され、出口管からホースを介して薬液を噴口に送り込む調圧弁４を有している（符号は特許文献１における符号）。調圧弁４は、内圧が上昇した場合に余水を余水管からタンク２に戻す調圧機能を有している。
【０００３】
特許文献１における、タンク２、ポンプ３、調圧弁４の接続構造は次のようになっている。
タンク２の背面側下部に筒状の供給口２６が設けられ、この供給口２６に軟質部材からなる蓋２７が外挿され、蓋２７はバンドＢ１により供給管２６上に締め付け、固定される。蓋２７には、筒状の吸水ポート２７ａ、余水ポート２７ｂが設けられている。
【０００４】
ポンプ３は、ポンプ入口管３１およびポンプ出口管３２を有する。
ポンプ入口管３１は、タンク２の内底部に伸びるホースＨを介してタンク２の吸水ポート２７ａに挿入され、吸水ポート２７ａの上からバンドＢ２により締め付けられることにより吸水ポート２７ａに接続、固定される。
【０００５】
調圧弁４は、調圧弁入口管４１、調圧弁出口管４２、余水管４３を有している。
調圧弁入口管４１には、スリットおよび締付片４１ｅ、４１ｆが形成されている。この調圧弁入口管４１にポンプ出口管３２が円筒状の弾性体Ｅを介して挿入され、締付片４１ｅ、４１ｆをタッピンネジＮにより締め付け、調圧弁入口管４１を縮径することにより、調圧弁４がポンプ出口管３２に接続、固定される。
また、調圧弁４の余水管４３は、タンク２の余水ポート２７ｂに挿入され、余水ポート２７ｂの上からバンドＢ３により締め付けることにより、タンク２に接続、固定される。
【先行技術文献】
【特許文献】
【０００６】
【特許文献１】特開２０１４−１１７２２１号公報
【発明の概要】
【発明が解決しようとする課題】
【０００７】
従来の上記噴霧器では、タンク２、ポンプ３および調圧弁４間をホースを介して接続するものではないので、小型化が達成できるという利点がある。
しかしながら、従来の噴霧器では、上記のように、タンク２の供給口２６に蓋２７を固定するのにバンドＢ１で締め付け、固定し、吸水ポート２７ａとポンプ入口管３１との間もバンドＢ２を用いて締め付け、固定し、余水管４３と余水ポート２７ｂとの間もバンドＢ３を用いて締め付け、固定するものであるため、これらの間の接続、固定作業が極めて厄介であった。
さらには、ポンプ出口管３２と調圧弁入口管４１との間も、調圧弁入口管４１にスリットを設け、ネジＮを用いて調圧弁入口管４１を縮径することにより、両者を接続、固定するという、複雑な構造を採用しており、両者間の固定作業も厄介であった。
【課題を解決するための手段】
【０００８】
本発明は上記課題を解決すべくなされたものであり、その目的とするところは、タンク、ポンプ、調圧弁の組付けが容易に行える液体散布用の噴霧器を提供することにある。
【０００９】
上記の目的を達成するため、本発明は次の構成を備える。
すなわち、本発明に係る液体散布用の噴霧器は、タンクと、該タンクに接続されるポンプと、該ポンプの吐出側に接続され、液体を噴口に供給すると共に、内圧が所定圧以上となった場合に余水を前記タンクに戻す調圧弁を有する液体散布用の噴霧器において、前記タンクは、内部にそれぞれシールリングを有する、筒状の第１の継手部および該第１の継手部と平行に伸びる第２の継手部とを一壁面に具備し、前記ポンプは、吸入筒と吐出筒とを具備し、前記調圧弁は、内部にシールリングを有する流入口と、噴口が取り付けられたホースが接続される流出口と、内部に弁構造を有し、内部圧力が所定圧力以上に上昇した際に余水を前記タンクに戻す戻し筒とを具備し、前記ポンプと前記調圧弁は、前記ポンプの吸入筒と前記調圧弁の戻し筒とが同じ側にくるようにして、前記ポンプの前記吐出筒が前記調圧弁の流入口に液密に差し込まれ、かつ前記ポンプと前記調圧弁とが離反不能の状態のユニットとして組み付けられ、該ユニットが、前記吸入筒と前記戻し筒とがそれぞれ前記タンクの前記第１の継手部および前記タンクの前記第２の継手部に液密に差し込まれて前記タンク内に連通した状態で、かつ前記タンクに対して離反不能に前記タンクに組付けられていることを特徴とする。
【００１０】
前記ユニットが、前記タンクの前記一壁面側に組み付けられた収納ボックス内に配置されると共に、前記ポンプと前記調圧弁とが離反不能にカバー内に組み付けられ、該カバーが前記収納ボックスに固定されるようにすると好適である。
前記第１の継手部、前記第２の継手部および前記調圧弁の前記流入口は、それぞれ、筒体の先端面の内周側に凹欠部が周設され、該凹欠部内に前記シールリングが配置されると共に、前記筒体の先端部外周に、前記シールリングの抜け止め用の孔空きキャップが装着されて構成されるようにすると好適である。
【００１１】
前記第１の継手部および前記第２の継手部が継手部本体に設けられ、該継手部本体が前記タンク内に位置し、前記第１の継手部および前記第２の継手部が前記タンクの前記一壁面に設けた透孔および前記収納ボックス壁面に設けた透孔を貫通して前記収納ボックス内に液密に突出すると共に、前記第１の継手部および前記第の継手部がナットにより前記収納ボックスと共に前記タンクの前記一壁面に締め付け、固定されるようにすると好適である。
【発明の効果】
【００１２】
本発明によれば、タンク、ポンプ、調圧弁の組付けを容易かつ確実に行える。
【図面の簡単な説明】
【００１３】
【図１】背負式液体散布用の噴霧器の背面図である。
【図２】背負式液体散布用の噴霧器の背面側斜視図である。
【図３】背負式液体散布用の底面図である。
【図４】背負式液体散布用の噴霧器のカバー部を外した状態の底面図である。
【図５】ポンプの部分断面図である。
【図６】調圧弁の部分断面図である。
【図７】ユニットの部分断面図である。
【図８】継手部の部分断面図である。
【図９】ユニットを継手部に組み込んだ状態の部分断面図である。
【図１０】カバーの斜視図である。
【図１１】カバーにユニットを組み込んだ状態の平面図である。
【発明を実施するための形態】
【００１４】
以下本発明の実施の形態を添付図面に基づき詳細に説明する。
図１は背負式液体散布用の噴霧器１０の背面図、図２はその背面側斜視図、図３はその底面図、図４はカバー部を外した状態の底面図である。
１２はタンクであり、例えばブロー成形によって形成されている。タンク１２の上部にタンク１２内に液体（薬液）が注ぎ込まれる注入口が形成され、該注入口に注入口を開閉する蓋体１３が螺着される。
【００１５】
タンク１２の背面側下部には凹部１４が形成されている。凹部１４は、下方および両側方に開放している。該凹部１４に、ポンプ、バッテリ等が収容される収納ボックス１５が取り付けられている。
収納ボックス１５は、凹部１４の壁面に沿う部位１５ａと収納ボックス１５の底面を構成する部位１５ｂからなる断面形状が変形Ｌ字状をなす取付部１５ｃと、取付部１５ｃの開口部を覆って取付部１５ｃに固定されるカバー部１５ｄからなる。取付部１５ｃは、タンク１２に固定される。取付部１５ｃとカバー部１５ｄとによりボックス構造が形成される。
なお、収納ボックス１５は、凹部１４の壁面に沿う部位１５ａとカバー部１５ｄを一体構造とし、この一体構造部に底面を構成する部位１５ｂを取り付けてボックス構造としてもよい。
収納ボックス１５内には、図４に示すように、ポンプと調圧弁とが組み付けられたユニット１６が配置され、さらにバッテリ１７が収納されている。
１８は、ポンプ駆動用のモータをオン、オフするスイッチである。
１９はタンク１２を背負うためのベルト（図示せず）が取り付けられるベルト取付部である。
【００１６】
続いて、ポンプ２０と調圧弁２１について説明する。
図５はポンプ２０の部分断面図、図６は調圧弁２１の部分断面図、図８は継手部２２の部分断面図である。
ポンプ２０は公知の構成でよく、ポンプ本体２４と、ポンプ本体２４に組み付けられるモータ２５を有している。
ポンプ２０は、タンク１２に接続され液体を吸入する吸入筒２６と、吸入される液体を吐出する吐出筒２７を有している。吐出筒２７は吸入筒２６に対して直交する方向に伸びている。
【００１７】
調圧弁２１は図６に示すように、本体部２９の一端側に流入口３０が形成され、他端側に流出口３１が形成された直線状の流路３２を有する。
流入口３０は筒状（筒体）に形成され、この筒体の端面内周側に該内周側に開口する凹欠部が周設されている。そしてこの凹欠部内にＯリング等からなるシールリング３３が配置されている。
筒体の先端部外周に、シールリング３３の抜け止めをする孔空きキャップ３４が螺着されている。孔空きキャップ３４には、ポンプ２０の吐出筒２７が挿通可能な大きさの孔が開口されている。
【００１８】
流出口３１は単なる筒状に形成され、この流出口３１にホース（図示せず）が接続され、ホース先端に噴口（図示せず）が取り付けられる。流出口３１近傍の本体部２９に嵌合溝４１が形成されている。
本体部２９の中途部に、流路３２と直交する方向に戻し筒３６が形成されている。
戻し筒３６は、基部側の大径筒部３７と、この大径筒部３７に進退自在に挿入される小径筒部３８を有している。小径筒部３８の基部側は外方に突出するフランジ部３８ａに形成され、このフランジ部３８ａの外周面に周溝が形成され、この周溝内にＯリング等からなるシールリング３９が配置されている。
【００１９】
小径筒部３８はフランジ部３８ａにおいて大径筒部３７内でシールリング３９にシールされて液密に摺動するようになっている。
大径筒部３７の先端部外周に孔空きキャップ４０が螺着され、小径筒部３８の抜け止めをしている。
大径筒部３７内には球状の弁体４２が収納され、また大径筒部３７の基部には弁座４３が形成され、弁体４２とフランジ部３８ａとの間にコイルスプリングが配設されることにより弁体４２が弁座４３に押圧されている。これにより戻し筒３６内に弁構造が形成されている。
戻し筒３６の大径筒部３７から突出する小径筒部３８が、後記するようにタンク１２に接続され、調圧弁２１内の内圧が所要圧力以上に上昇した際に、余水をタンク１２に戻すようになっている。
【００２０】
本実施の形態では、図７に示されるように、ポンプ２０の吐出筒２７が調圧弁２１の流入口３０に液密に差し込まれるだけで、ポンプ２０と調圧弁２１とが組み付けられたユニット１６が形成される。
この場合、ポンプ２０の吸入筒２６と調圧弁２１の戻し筒３６がユニット１６において同じ側を向くようにされる。
【００２１】
図８は継手部２２の断面図である。
継手部２２は、継手部本体４３の同じ側に筒状の第１の継手部４４と第２の継手部４５が形成されてなる。
第１の継手部４４は、筒体の端面内周側に該内周側に開口する凹欠部が周設され、この凹欠部内にＯリング等からなるシールリング４６が配置され、筒体の先端側外周に、孔空きキャップ４７が螺着されてなる。孔空きキャップ４７にはポンプ２０の吸入筒２６が挿通可能な孔が設けられている。孔空きキャップ４７はシールリング４６の抜け止めをする。
【００２２】
第２の継手部４５は、筒体の端面内周側に該内周側に開口する凹欠部が周設され、この凹欠部内にＯリング等からなるシールリング４９が配置され、筒体の先端側外周に、孔空きキャップ５０が螺着されてなる。孔空きキャップ５０には調圧弁２１の戻し筒３６が挿通可能な孔が設けられている。孔空きキャップ５０はシールリング４９の抜け止めをする。
【００２３】
第１の継手部４４と第２の継手部４５の筒部の基部となる継手部本体４３には凹溝が形成され、この凹溝内にシールリング５１が配設されている。
継手部２２は、タンク１２の凹部１４の壁面および収納ボックス１５のタンク凹部１４の壁面に沿う部位１５ａに設けた透孔を、筒状の第１の継手部４４と第２の継手部４５が、タンク１２の内側から外側方向（凹部１４方向）に挿通するようにして、タンク１２に当てがわれ、筒状の第１の継手部４４と第２の継手部４５の筒部の基部外周に設けた雄ネジ部にナット５３が螺着されることにより、タンク１２に液密に取り付けられる。またこれにより、収納ボックス１５の取付部１５ｃも同時にタンク１２の凹部１４壁面に固定される。
なお、第１の継手部４４と第２の継手部４５は、継手部本体４３に設けた流路を通じてタンク１２内に連通している。
【００２４】
ポンプ２０と調圧弁１６とがあらかじめ組み付けられたユニット１６は、図９に示すように、吸入筒２６が第１の継手部４４に液密に差し込まれ、戻し筒３６（小径筒部３８）が第２の継手部４５に液密に差し込まれるだけで、継手部２２に容易に組み付けることができる。
【００２５】
なお、ユニット１６に液圧が加わると、ポンプ２０と調圧弁２１とは、吐出筒２７が流入口３０から抜け出る方向、すなわち、ポンプ２０と調圧弁２１とが離反する方向に液圧が働くことになる。同様に、ユニット１６が継手部２２から離反する方向に液圧が働くことになる。
【００２６】
そこで本実施の形態では、ストッパにより、ポンプ２０と調圧弁２１とが離反不能に設けられ、また、ユニット１６が継手部２２（すなわちタンク１２）に対して離反不能に設けられている。
【００２７】
図１０はストッパとしてのカバー５５の斜視図である。
カバー５５は、ポンプ２０と調圧弁２１とが組み付けられたユニット１６を収容可能な凹部５６を有する。凹部５６は、ユニット１６が組み入れ可能に上部側が開放された凹部に形成され、また凹部５６の両端側には仕切壁５６ａ、５６ｂが形成されている。
ユニット１６がカバー５５の凹部５６内に組み付けられたとき、ポンプ２０の本体部２４の端面が仕切壁５６ａに凹部５６の内側から当接し、また、仕切壁５６ｂが、調圧弁２１に設けられた嵌合溝４１内に嵌入するようになっている。これにより、ポンプ２０と調圧弁２１とは互いに離反する方向への動きが規制される。
【００２８】
ユニット１６がカバー５５の凹部５６内に組み付けられたとき、吸入筒２６と戻し筒３６がカバー５５の同じ側の外方に突出するように、カバー５５の側壁に切欠き５６ｃが設けられている。筒状の流出口３１はそのままカバー５５の外に突出する。
また、カバー５５の側壁の端部にはネジ孔５７が設けられている。
ユニット１６をカバー５５内に組み込み、この状態で、ユニット１６を、吸入筒２６が第１の継手部４４に、戻し筒３６が第２の継手部４５に差し込まれるように継手部２２に装着し、次いで、ネジ孔５７に図示しないネジを差し込み、該ネジによってカバー５５を収納ボックス１５に固定することによって、容易にユニット１６をタンク１２に取り付けることができる。
【００２９】
上記のように、ユニット１６をカバー５５に組み付けることによって、ポンプ２０と調圧弁２１が離反するのを防止でき、また、カバー５５を収納ボックス１５にネジ止めすることによって、ユニット１６がタンク１２から離反するのを防止できる。
なお、ストッパとしては、上記カバー５５に限定されるものではない。
【００３０】
上記のように、本実施の形態では、ポンプ２０の吐出筒２７を調圧弁２１の流入口３０に液密に差し込んでユニット１６を形成し、ユニット１６をカバー５５に組み込み、さらに、吸入筒２６が第１の継手部４４に、戻し筒３６が第２の継手部４５に液密に差し込まれるようにしてユニット１６を継手部２２に装着し、カバー５５を収納ボックス１５にネジ止めするだけで、容易かつ確実にポンプ２０と調圧弁２１をタンク１２に取り付けることができるという効果を奏する。
【００３１】
なお、ユニット１６をタンク１２に先に装着し、この状態で該ユニット１６にカバー５５を組付け、次にカバー５５を収納ボックス１５にネジ止めする手順であってもよい。
【符号の説明】
【００３２】
１０  液体散布用の噴霧器
１２  タンク
１４  凹部
１５  収納ボックス
１６  ユニット
２６  吸入筒
２７  吐出筒
３０  流入口
３１  流出口
３３  シールリング
３４  孔空きキャップ
３６  戻し筒
４４  第１の継手部
４５  第２の継手部
４６  シールリング
４７  孔空きキャップ
４９  シールリング
５０  孔空キャップ
５３  ナット
５５  カバー
５６  凹部
５６ａ  仕切壁
５６ｂ  仕切壁
【図１】
2020054263.tif 000003
【図２】
2020054263.tif 000004
【図３】
2020054263.tif 000005
【図４】
2020054263.tif 000006
【図５】
2020054263.tif 000007
【図６】
2020054263.tif 000008
【図７】
2020054263.tif 000009
【図８】
2020054263.tif 000010
【図９】
2020054263.tif 000011
【図１０】
2020054263.tif 000012
【図１１】
2020054263.tif 000013